(57)【特許請求の範囲】
【請求項１】
画像形成装置で画像記録された記録紙を順次スタックするとともに整合する記録紙整合トレイと、記録紙束の中折り位置にステイプラで中綴じ処理を行なう中綴じ処理手段とを備えた画像形成装置の記録紙後処理装置であって、
前記中綴じ処理手段の綴じ針を打込む主要な構成部分を収めた主要部を、記録紙がスタックされるとともに整合される記録紙整合トレイの表面とは反対側の裏面側に取り付け、
前記主要部から打ち込こまれた綴じ針が記録紙整合トレイの裏面側から表面側に向けて飛び出して記録紙束に突き刺さるように構成し、
中綴じ処理動作を行う際に、前記主要部の綴じ針を打込む端部を記録紙整合トレイの表面から突出させるように、前記記録紙整合トレイが、中綴じ処理手段の中綴じ位置付近で表面側が凸状に折り曲がった略く字型に形成されていることを特徴とする画像形成装置の記録紙後処理装置。
【請求項２】
前記記録紙整合トレイの中綴じ処理手段の中綴じ位置付近で裏面側に向けて窪んだ凹所が形成されていることを特徴とする請求項１に記載の画像形成装置の記録紙後処理装置。
【請求項３】
前記中綴じ処理手段として使用するステイプラが、
記録紙整合トレイの裏面側に取り付けたステイプラ本体と、このステイプラ本体に回動可能に取り付けられ前記整合された記録紙束に向けて綴じ針が飛び出すプッシャとを有する主要部と、
このプッシャに対向した記録紙整合トレイの表面側において前記記録紙整合トレイに向けて進退自在に設けたクリンチャを有する受部とを備え、
前記クリンチャとプッシャとの間の綴じ部分で記録紙束を挟み込んで中綴じ処理を行なうように構成したことを特徴とする請求項１または２に記載の画像形成装置の記録紙後処理装置。
【発明の詳細な説明】
【０００１】
【発明の属する技術分野】
この発明は、複写機、ファクシミリ、プリンタまたはそれらの複合機などの画像形成装置に付設して用い、特に記録紙束に中綴じ処理を行なうことができる画像形成装置の記録紙後処理装置に関する。
【０００２】
【従来の技術】
画像形成装置によって画像が記録された記録紙を複数枚束ねて整合する記録紙整合トレイと、その整合された記録紙束にステイプラで中綴じ処理を施すことができる中綴じ処理手段とを備えた記録紙後処理装置として、例えば特開平７−４８０６２号公報が知られている。
【０００３】
この記録紙後処理装置にあっては、中綴じ処理手段として、記録紙整合トレイの表面側に所定の距離を保持して設けたステイプラが使用されている。
【０００４】
この中綴じ処理手段として使用するステイプラは、記録紙束の中央部を、記録紙整合トレイとの間で挟んで固定し、その記録紙束を貫通するような状態で記録紙整合トレイに向けて綴じ針を打ち込んで中綴じ処理を行うようになっている。
【０００５】
【発明が解決しようとする課題】
ところで、この記録紙後処理装置にあっては、記録紙を記録紙整合トレイに沿い中綴じ処理手段に向けて搬送させる際にこの記録紙の搬送方向をガイドするために、ガイド部材が設けられている。
【０００６】
このガイド部材は、記録紙整合トレイ表面側に沿いながら、ステイプラに向けて記録紙をガイドしていくように設置されているが、記録紙整合トレイから外部へ記録紙が飛び出さないようにするため、記録紙の出入り口部分を除き記録紙整合トレイの表面側を端から端まで閉鎖させた状態に設置されている。
【０００７】
従って、この記録紙後処理装置にあっては、記録紙整合トレイの閉ざされた内部において、記録紙整合トレイと中綴じ処理手段との間などで紙詰まりが発生したとき、この紙詰まりの記録紙を取り除くことが難しい。
【０００８】
そこで、この発明は、上記した事情に鑑み、記録紙整合トレイと中綴じ処理手段などとの間で起こす紙詰まりを防止することができるとともに、かりにこの部分で紙詰まりを起こしたとしてもその記録紙を簡単に取り除くことができる画像形成装置の記録紙後処理装置を低コストで提供することを課題とする。
【０００９】
【課題を解決するための手段】
そのため、請求項１に記載の発明は、画像形成装置で画像記録された記録紙を順次スタックするとともに整合する記録紙整合トレイと、記録紙束の中折り位置にステイプラで中綴じ処理を行なう中綴じ処理手段とを備えた画像形成装置の記録紙後処理装置であって、
前記中綴じ処理手段の綴じ針を打込む主要な構成部分を収めた主要部を、記録紙がスタックされるとともに整合される記録紙整合トレイの表面とは反対側の裏面側に取り付け、
前記主要部から打ち込こまれた綴じ針が記録紙整合トレイの裏面側から表面側に向けて飛び出して記録紙束に突き刺さるように構成し、
中綴じ処理動作を行う際に、前記主要部の綴じ針を打込む端部を記録紙整合トレイの表面から突出させるように、前記記録紙整合トレイが、中綴じ処理手段の中綴じ位置付近で表面側が凸状に折り曲がった略く字型に形成されているものである。
【００１１】
また、請求項２に記載の発明は、請求項１に記載の発明において、前記記録紙整合トレイの中綴じ処理手段の中綴じ位置付近で裏面側に向けて窪んだ凹所が形成されているものである。
【００１２】
また、請求項３に記載の発明は、請求項１または２に記載の発明において、前記中綴じ処理手段として使用するステイプラが、
記録紙整合トレイの裏面側に取り付けたステイプラ本体と、このステイプラ本体に回動可能に取り付けられ前記整合された記録紙束に向けて綴じ針が飛び出すプッシャとを有する主要部と、
このプッシャに対向した記録紙整合トレイの表面側において前記記録紙整合トレイに向けて進退自在に設けたクリンチャを有する受部とからなり、
前記クリンチャとプッシャとの間の綴じ部分で記録紙束を挟み込んで中綴じ処理を行なうように構成したものである。
【００１３】
【発明の実施の形態】
この発明の実施の形態について添付図面に基づき説明する。
図１には、この発明に係る画像形成装置の記録紙後処理装置の全体概略図を示す。
【００１４】
この実施例の画像形成装置の記録紙後処理装置１は、画像形成装置に付設して用いるものであり、後処理手段として、端面綴じ処理手段４と、中綴じ処理手段５と、中折り処理手段６とを備えている。一方、これらすべての後処理手段は、記録紙整合トレイである後処理トレイ３を共用するようにして設置されている。なお、この実施例の画像形成装置としては、複写機２が使用されているが、これ以外に、例えばファクシミリ、プリンタ、その他の適宜の機器が使用できる。
【００１５】
記録紙後処理装置１と複写機２との間には、入口ガイド板１１が設けられており、複写機２で画像記録された記録紙は、その入口ガイド板１１にガイドされて記録紙後処理装置１内に送り込まれる。
【００１６】
記録紙後処理装置１は、この入口ガイド板１１近傍に、搬送ローラ１２Ａ、１２Ｂを設置しているとともに、この近傍には、図示外のソレノイドにより作動し搬送方向を仕分ける分離爪１３を設けている。なお、この分離爪１３は、搬送ローラ１２Ａ、１２Ｂを介して搬送された記録紙に対して後処理を行なうか否かにより、搬送方向を２方向に分流させるようになっている。
【００１７】
この実施例の記録紙後処理装置１では、画像記録された記録紙が、図１において、水平方向左方へ搬送される場合には、後処理を行なわないノン後処理モードへ移行する。このノン後処理モードヘ移行した記録紙は、搬送ローラ１２Ｃおよび排紙ローラ１２Ｄにより、ほぼ直線状のノン後処理搬送路αに沿ってそのまま搬送され、記録紙後処理装置１の外部へ排紙される。また、この記録紙が下方向へ搬送される場合には、後処理モードに移行するようになっている。
【００１８】
即ち、この実施例の記録紙後処理装置１では、後処理モードの場合には、この記録紙が、搬送ローラ１２Ｅないし１２Ｇ、後処理排出ローラ１２Ｈおよび図示外のガイド板を介して、略Ｕ字状の後処理搬送路βに沿って搬送されたのち、後処理トレイ３に排出されるようになっている。なお、後処理排出ローラ１２Ｈには、図示外のブラシローラが一体化されて設けられているとともに、この後処理排出ローラ１２Ｈの近傍であって記録紙搬送方向の下流側には叩きコロ１２Ｉが設けられている。
【００１９】
後処理トレイ３には、図２に示すように、水平方向Ｘに平行に設けた後端基準フェンス３１と、この後端基準フェンス３１と直交するＹ方向に設けたジョガーフェンス３２とを備えている。この後処理トレイ３は、記録紙束Ｐに後処理を施すのに先立ち、後端基準フェンス３１によって記録紙束Ｐの下端部を整合すると共に、ジョガーフェンス駆動モータ３２Ａにより作動するジョガーフェンス３２によって記録紙束Ｐの左右両側端部を整合するようになっている。
【００２０】
なお、この発明の後処理トイレ３では、この後処理トイレ３に沿った表面側に、記録紙束が移動するときのガイドとなる従来のようなガイド部材を併設していない。即ち、この後処理トレイ３の表面側はオープン状態に開放されている。
【００２１】
また、この後処理トイレ３には、図３に示すように、縦方向中間部近傍に凹所３３が形成されている。さらに、この実施例の後処理トレイ３は、凹所３３を挟んでこれよりも下部側３Ｄ部分が水平方向に対して７５°、これよりも上部側３Ｕが同じく６５°に傾斜しており、全体形状が略く字形（中央部分が凸状に突出した形状）を呈している。なお、これらの傾斜角度については、特にこの実施例のものに限定されず、各種の好適な傾斜角度でかまわない。
【００２２】
さらに、この後処理トレイ３には、図示外の無端ベルトと、この無端ベルトに取付けられて後処理トレイ３に沿って上下方向に移動する放出爪３４（図８参照）とが付設されている。
【００２３】
図１に示す端面綴じ処理手段４は、後処理トレイ３に搬送されこの後処理トレイ３で整合されている記録紙束の下端面付近にステイプラで端面綴じ処理を施すものであり、後端基準フェンス３１近傍の後処理トレイ３下端部に図示外のステイプラが設けられている。
【００２４】
なお、この端面綴じ処理手段４を設けた後処理トレイ３の下部側は、先述したように、ステイプル排出ローラ１２Ｈおよびガイド板や叩きコロ１２Ｉによって記録紙束をこの後処理トレイ３下部へ向けて送り出すような構成となっているので、この端面綴じ処理手段４をガイドするための従来のようなガイド部材は特に設置されていない。従って、この後処理トレイ３の表面側の下部もオープン状態に開放されている。
【００２５】
中綴じ処理手段５は、後処理トレイ３に搬送されこの後処理トレイ３で整合されている記録紙束の中央部に左右１対のステイプラでまとめて中綴じ処理を行なうものである。この実施例の中綴じ処理手段５は、図４に示すように、支持部材５１と、偏心カム５２と、中綴じ用のステイプラ５３とを備えている。
【００２６】
支持部材５１は、図２に示すように、その基端部が、後処理トレイ３の両側に起立する側壁面３Ａ間に取付けた支軸５１Ａに、回動可能な状態で吊り下げられている。この支持部材５１には、図示外のばねによって後処理トレイ３から離間する方向に、例えばこの実施例では、図３において反時計方向に、弾性力が付勢されている。
【００２７】
偏心カム５２は、真円形状に形成されており、支軸５１Ａと平行に設けた回動軸５２Ａに固着されているが、特に、この偏心カム５２における回動軸５２Ａの取付け位置は、中心からずれた周縁部近傍となっている。なお、この偏心カム５２の外周面には、先述したばねの弾性力により、支持部材５１の先端部が常時当接するようになっている。
【００２８】
回動軸５２Ａは、側壁面３Ａに対して回動自在に取付けてあり、図２および図４に示すカム駆動用モータ５２Ｂによって回動する。なお、図３に示すこの回動軸５２Ａは、支持部材５１の先端部（自由端）が描く軌跡、即ち、支軸５１Ａを中心とした一定半径の円周上であって、後処理トレイ３の凹所３３から所定距離離間した位置に設けられている。この離間距離は、通過可能な記録紙束Ｐの枚数に影響を及ぼすので、ある程度の長さを確保することが好ましい。
【００２９】
中綴じ処理用のステイプラ５３は、図３に示すように、後処理トレイ３中央部側の凹所３３近傍において所定間隔（この実施例では１２０mm）を保持し、かつ、後端基準フェンス３１に対して平行に２個設けられている。
【００３０】
このステイプラ５３は、綴じ針を収めるとともにその綴じ針を打込む主要な構成部分を収める中綴じ処理手段５の主要部Ｍと、この主要部Ｍとは別体に設けた受部Ｓとを有している。
【００３１】
このうち、主要部Ｍは、構造的に複雑であるとともに容積的に見てもステイプラの大部分を占有しており、後処理トレイ３の表面側に設置すると、ここを通過する記録紙の搬送動作の障害となり、記録紙の通行をじゃまして紙詰まりを起こす虞れがある。そこで、この発明では、主要部Ｍを、後処理トレイ３の表面側ではなく裏面側に設けているのである。
【００３２】
この主要部Ｍは、具体的には、図３に示すように、モータおよびリンクなどの図示外の押動機構などを収めたステイプラ本体５３Ａと、記録紙束Ｐを綴じる際にステイプラ本体５３Ａ内の先述した押動機構で押圧・押動され綴じ針を飛び出すプッシャ５３Ｂとを備えている。
【００３３】
ステイプラ本体５３Ａは、後処理トレイ３の凹所３３が形成されている部分よりも上側であって、後処理トレイ３の裏面側に固定されている。
【００３４】
プッシャ５３Ｂは、クリンチャ５３Ｃ方向に前進・回動可能な状態でステイプラ本体５３Ａに取り付けられている。即ち、プッシャ５３Ｂは、ステイプラ本体５３Ａに対して回動軸５３Ｄで回動可能に連結されており、図示外のばねによる弾性力によって普段はクリンチャ５３Ｃおよび後処理トレイ３から離間する方向に後退している。
【００３５】
なお、このプッシャ５３Ｂは、中綴じ処理動作を行なう場合には、先述したばねによる弾性力に抗した図示外の押動手段により、図３に一点鎖線で示すようにクリンチャ５３Ｃに向けて押動・押圧されて前進し、クリンチャ５３Ｃとの間に形成される隙間、即ち、綴じ部分５３Ｅで記録紙束Ｐを挟み付けながら綴じ針を突き刺していくようになっている。
【００３６】
一方、受部Ｓについては、プッシャ５３Ｂに対向して後処理トレイ３の表面側に設けられており、この実施例では、後処理トレイ３の表面側に向けて進退可能に設けたクリンチャ５３Ｃを備えている。このクリンチャ５３Ｃは、図３に示すように、記録紙束Ｐに対してプッシャ５３Ｂとは反対の面側から記録紙束Ｐをしっかりと固定・保持するものであり、プッシャ５３Ｂで打ち込まれてきた綴じ針の両端部を受け止め、内側に折り返して綴じるようになっている。
【００３７】
この実施例のクリンチャ５３Ｃは、後処理トレイ３の凹所３３に向けて回動する支持部材５１の先端側に固定されており、偏心カム５２の回動動作によって記録紙束を挟み付ける綴じ部分５３Ｅの開口量を変化させることが可能となっている。なお、このクリンチャ５３Ｃは、ステイプラ本体５３Ａやプッシャ５３Ｂに比べると構成が簡単で単純であり、占有容積も小さくて済むので、記録紙搬送の際にこの搬送動作を殆どじゃましなくてすむ。
【００３８】
即ち、この実施例のクリンチャ５３Ｃは、記録紙束Ｐを綴じる際には、偏心カム５２の回動動作により押動されてプッシャ５３Ｂに向けて移動・前進し、このプッシャ５３Ｂに最も接近したところで一時的にその位置が固定保持されるようになっている。
【００３９】
このように、カム駆動用モータ５２Ｂによって、回動軸５２Ａを介して偏心カム５２を１８０度回動させることにより、クリンチャ５３Ｃをプッシャ５３Ｂに向けて最接近させたり、最も離間した位置まで後退させることができる。
【００４０】
なお、先述したように、この発明の後処理トイレ３の表面側には、記録紙束を搬送するときの搬送動作と干渉する虞れのある中綴じ処理手段５の主要部（ステイプラ本体５３Ａおよびプッシャ５３Ｂ）が設置されていないので、この後処理トレイ３に沿ってガイド部材を設ける必要もない。従って、この後処理トレイ３の表面側の中綴じ手段近傍も、オープン状態に開放されている。
【００４１】
中折り処理手段６は、中綴じ処理手段５で中央部に中綴じ処理を施された記録紙束に対し、その中綴じされた中央部に中折り処理を施すものである。この実施例の中折り処理手段６は、図３に示すように、図示外のスプリングの弾性力で互いに当接し駆動モータ（図略）によって回転する１対の中折りローラ６１と、図示外の別の駆動モータにより中折りローラ６１間のニップ部分に向けて、即ち、図２において、記録紙搬送方向Ｙに対して直角方向Ｘで、かつ、後処理トレイ３の表面に対してほぼ垂直方向に進退する中折り板６３とから概略構成されている。
【００４２】
次に、この実施例の作用について説明する。
（１）複写機２で画像が転写されこの複写機２から排出されてきた記録紙について後処理を行なわない場合には、ノン後処理モードを選択・設定する。すると、図１において、各記録紙は、分離爪１３の仕分け・分離動作により、そのままノン後処理搬送路αに沿って搬送され、排紙ローラ１２Ｄによって記録紙後処理装置１から外部へ排出され、トレイ１Ａ上に排出される。
【００４３】
なお、このノン後処理搬送路αには、この表面側にガイド部材などを設置した構造となっておらず、開放された搬送路を構成しているから、このノン後処理搬送路αで記録紙が紙詰まりをおこすのを防止できる。また、例えばこのノン後処理搬送路αに設けた搬送ローラ１２Ｃのニップ部分などで紙詰まりをおこしたとしても、この搬送ローラ１２Ｃの前後がオープン状態で開放されているから、簡単に、その記録紙を取り除くことができる。
【００４４】
（２）一方、記録紙に後処理を行なう場合には、例えば端面綴じ処理モードを選択・設定すると、図示外のソレノイドが作動して分離爪１３が回動動作し、各記録紙が後処理搬送路βに向けて逐次搬送されていく。これにより、所定の枚数（例えば最大５０枚程度）の記録紙が後処理トレイ３に積載されるが、この後処理トレイ３での端面綴じ動作に先立って記録紙の整合動作が行われる。
【００４５】
後処理トレイ３に積載され整合された記録紙束Ｐは、端面綴じ処理手段４に設けた図示外のステイプラによって端面位置にまとめて綴じ処理が施され、放出爪３４（図８参照）によって上方に持ち上げられ、排紙ローラ１２Ｄ（図１参照）によってトレイ１Ａ上に排出される。
【００４６】
なお、この後処理トレイ３への記録紙の搬送およびこの後処理トレイ３からの記録紙束の排出時には、通過する記録紙の紙詰まりを防止するため、中綴じ用のクリンチャ５３Ｃは後処理トレイ３の凹所３３から最も離れた位置に後退して待機している（図３で実線部分に対応する）。
【００４７】
従って、この後退状態にあるクリンチャ５３Ｃと後処理トレイ３の凹所３３との間には、大きな間隙からなる綴じ部分５３Ｅが形成されているから、ここを通過して外部へ放出される記録紙束Ｐがこの綴じ部分５３Ｅで紙詰まりを起こすのを有効に防止できる。また、かりに、記録紙束Ｐの一部がこの綴じ部分５３Ｅで紙詰まりを起こしたとしても、後処理トレイ３は表面側が広く開放されているから、簡単にその記録紙を取り除くことができる。
【００４８】
（３）また、中綴じ処理モードを選択・設定すると、端面処理モードの場合と同様に、クリンチャ５３Ｃは、ステイプラ本体５３Ａから最も離れた位置に後退した状態のまま、所望の複数枚の記録紙束が整合されて後処理トレイ３に積載される。
【００４９】
即ち、この後処理トレイ３への記録紙束の搬送時にも、図３に示すように、中綴じ用のクリンチャ５３Ｃは後処理トレイ３の凹所３３から最も離れた位置（図３に実線で示す）に後退して待機しており、このクリンチャ５３Ｃと後処理トレイ３の凹所３３との間には、綴じ部分５３Ｅである大きな間隙が形成されているので、多数枚からなる記録紙束Ｐをスタックする場合でも、この綴じ部分５３Ｅでの紙詰まりを有効に防止できる。
【００５０】
このようにして、複写機２から排出される複数枚の記録紙に一連の整合・整列動作が行われ、その後、中綴じ動作に移行する。
【００５１】
この中綴じ処理が完了したならば、偏心カム５２が回転するので、クリンチャ５３Ｃが再び元の位置、つまり凹所３３から最も離間したホームポジションまで後退し、そこで次の中綴じ動作まで待機する。
【００５２】
このようにして、中綴じされた記録紙束Ｐは、図８に示すように、さらに放出爪３４によって後処理トレイ３の上方に持ち上げられ、中綴じ処理が施された記録紙束Ｐの中央部Ｐ０が中折り板６３の進行する方向と一致したところで上昇動作が停止する。
【００５３】
その後、中折り板６３が中折りローラ６１間のニップ部分に向けて前進し、記録紙束Ｐの中綴じされた中央部を押し込む。これにより、中綴じされた記録紙束Ｐがその中央部Ｐ０から中折りローラ６１間に折り込まれ、２つに折り曲げられていく。なお、この中折りローラ６１に挟み込まれた記録紙束Ｐは、記録紙後処理装置１外部のトレイ１Ａ上に排出される。
【００５４】
このようにして、記録紙を複数枚まとめて束ねた冊子状のものが製本できる。
【００５５】
従って、この実施例によれば、記録紙束Ｐのスタック時には、凹所３３とクリンチャ５３Ｃとの間の綴じ部分５３Ｅが最大に開放されており、記録紙束Ｐに綴じ針を打ち込む時だけその間隙が狭まるように構成されているから、記録紙束Ｐがこの綴じ部分５３Ｅで紙詰まりを起こすのを有効に防止できる。
【００５６】
さらに、この実施例によれば、クリンチャ５３Ｃを凹所３３から後退する方向に移動できるから、たとえ、記録紙束Ｐにカールが発生していても、プッシャ５３Ｂとクリンチャ５３Ｃとの間の綴じ部分５３Ｅに記録紙束Ｐが係止する、といったトラブルを防止することも可能となる。その結果、カールした記録紙束でも確実に綴じることができるようになる。
【００５７】
【発明の効果】
以上、説明したように、この発明によれば、中綴じ処理手段の綴じ針を打込む主要な構成部分を収めた主要部を、記録紙がスタックされるとともに整合される記録紙整合トレイの表面とは反対側の裏面側に取り付け、主要部から打ち込こまれた綴じ針が記録紙整合トレイの裏面側から表面側に向けて飛び出して記録紙束に突き刺さるように構成しているので、換言すれば、記録紙束が係止して紙詰まりを発生する虞れのある中綴じ処理手段の主要部を記録紙整合トレイの表面側に設置することをやめて、裏面側に設置しているので、記録紙整合トレイの表面に送り込まれて中綴じ処理される記録紙束がその主要部に係止して紙詰まりを起こすといったトラブルを有効に防止できる。
【００５８】
しかも、この発明によれば、中綴じ処理手段の主要部を記録紙整合トレイの表面から除いたので、従来はこの中綴じ処理手段に隣接して設けていたガイド部材を記録紙整合トレイの表面側に設置する必要がなくなり、記録紙整合トレイの表面側が広く開放されるようになったので、万一この部分で紙詰まりを発生しても、開放された記録紙整合トレイの表面側から容易にその記録紙を除去できる。
【００５９】
さらに、この発明によれば、中綴じ処理動作を行う際に、主要部の綴じ針を打込む端部を記録紙整合トレイの表面から突出させるように、記録紙整合トレイが、中綴じ処理手段の主要部を設けてある中綴じ位置付近で表面側が凸状に折り曲がった略く字型に形成されているので、中綴じ処理動作を行う際に、主要部の綴じ針を打込む端部が記録紙整合トレイの表面から突出させやすくなっており、記録紙整合トレイの裏面側に主要部を設置する構成であっても、記録紙整合トレイの形状を工夫するだけで、換言すれば、簡単な構成のもので、確実に中綴じ処理動作が実現できるようになる。
【００６０】
さらに、請求項２に係る発明によれば、記録紙整合トレイの中綴じ処理手段の中綴じ位置付近で裏面側に向けて窪んだ凹所が形成されているので、記録紙整合トレイの裏面側に主要部を設置する構成であっても、中綴じ処理動作を行う際に、主要部の綴じ針を打込む部分が記録紙整合トレイの凹所表面から突出しやすくなっており、簡単な構成であっても、確実に中綴じ処理動作が実現できる記録紙後処理トレイが提供できるようになる。
【００６１】
さらに、請求項３に係る発明によれば、中綴じ処理手段として使用するステイプラが、記録紙整合トレイの裏面側に取り付けたステイプラ本体と、ステイプラ本体に回動可能に取り付け記録紙束に向けて綴じ針が飛び出すプッシャとを有する主要部と、このプッシャに対向した記録紙整合トレイの表面側において記録紙整合トレイに向けて進退自在に設けたクリンチャを有する受部とを備えており、クリンチャとプッシャとの間の綴じ部分で記録紙束を挟み込んで中綴じ処理を行なうように構成したので、記録紙整合トレイに記録紙を送り込むときには、記録紙整合トレイの表面からクリンチャを大きく離間させておいて紙詰まりを防止できるとともに、かりに紙詰まりが発生しても簡単にそれを取り除くことができ、その結果、簡単な構成で、信頼度の高い記録紙後処理装置が実現できるようになる。
【図面の簡単な説明】
【図１】この発明に係る画像形成装置の記録紙後処理装置を示す概略構成図である。
【図２】その内部機構を示す斜視図である。
【図３】その後処理トレイにおける記録紙後処理作用を示す説明図である。
【図４】その中綴じ処理手段に使用するステイプルを示す説明図である。
【図５】その中綴じ動作を示す説明図である。
【図６】同説明図である。
【図７】同説明図である。
【図８】その中折り動作を示す説明図である。
【符号の説明】
１        記録紙後処理装置
２        複写機（画像形成装置）
３        後処理トレイ（記録紙整合トレイ）
４        端面綴じ処理手段
５        中綴じ処理手段
Ｍ        主要部
Ｓ        受部
５１      支持部材
５１Ａ    支軸
５２      偏心カム
５２Ａ    回動軸
５３      ステイプラ
５３Ａ    ステイプラ本体
５３Ｂ    プッシャ
５３Ｃ    クリンチャ
５３Ｄ    回動軸
５３Ｅ    綴じ部分
６        中折り処理手段
【図１】
0004151869.tif 000002
【図２】
0004151869.tif 000003
【図３】
0004151869.tif 000004
【図４】
0004151869.tif 000005
【図５】
0004151869.tif 000006
【図６】
0004151869.tif 000007
【図７】
0004151869.tif 000008
【図８】
0004151869.tif 000009